(57)【要約】【課題】本考案は、下半身全体をわずかなエネルギーで暖めることができるという従来のコタツのメリットを活かすとともに、物書き等の仕事で使用する書斎机としても利用でき、かつ、上掛けの保温効果を有効に利用することにより、ランニングコストが低廉な暖房器付き机を提供することを目的とする。【解決手段】上面板、一対の側面板および背面板から形成される前面のみが開放された天板下空間内の開放面側に、上面板および一対の側面板に所定の距離を隔てて平行に上面押え板および側面押え板を設け、上面板と上面押え板との間および側面板と側面押え板との間で上掛けの一辺を挟持させ、該上掛けが前記筐体の開放面を緩やかに被包するようにするとともに、前記天板下空間内に暖房器を設置する構成とした。【選択図】図１
0003123783.tif 000002
【実用新案登録請求の範囲】
【請求項１】
略矩形の天板と該天板の四隅を床面から支持する脚部とを有し該天板下に一対の側面板、背面板および上面板に囲繞され前面が開放された天板下空間を具える書斎机において、
前記一対の側面板の前記天板下空間側に該一対の側面板に対し所定の離間距離をもって並設される略矩形の一対の側面押え板、および／または前記上面板の前記天板下空間側に該上面板に対し所定の離間距離をもって並設される略矩形の上面押え板を具え、
前記一対の側面板と前記一対の側面押え板とが形成する側面挟持部、および／または前記上面板と前記上面押え板とが形成する上面挟持部に、上掛けの一辺が挟持されて該上掛けが前記天板下空間の前面を緩やかに被包し、
前記天板下空間内の前記一対の側面押え板および前記上面押え板よりも前記書斎机の背面側に暖房器が設置される、ことを特徴とする暖房器付き机。
【請求項２】
一対の前記側面押え板の前記書斎机の背面側端部は前記一対の側面板に回動可能および／または着脱可能に支持され、
前記上面押え板の前記書斎机の背面側端部は前記上面板に回動可能および／または着脱可能に支持され、
一対の前記側面押え板および前記上面押え板の背面側端部は前記書斎机の側面視において略同一垂直線上に位置している、ことを特徴とする請求項1に記載の暖房器付き机。
【請求項３】
前記側面挟持部内および／または前記上面挟持部内には雌雄一対の係止具の一方が固着され、
前記上掛けの一辺には該係止具の他方が固着されて、該係止具の一方と他方とが係止される、ことを特徴とする請求項1または請求項２に記載の暖房器付き机。
【請求項４】
前記天板下空間内には一対の前記側面板に密着する一対の添え柱および／または前記上面板に密着する梁が着脱可能に設置、または固定して設置され、
前記添え柱に一対の前記側面押え板が支持され、
前記梁に前記上面押え板が支持されている、ことを特徴とする請求項1ないし請求項３のいずれかに記載の暖房器付き机。
【考案の詳細な説明】
【技術分野】
【０００１】
本考案は、下半身全体を暖めることのできる暖房器付きの机に関する。
【背景技術】
【０００２】
従来から使用されている暖房具にコタツがあるが、このコタツは畳に座る日本の生活習慣に適したものであって、下半身全体をわずかなエネルギーで暖めることができるというメリットがある。一方で、畳の上に足を折り曲げて座る動作は膝、脚、腰に負担が掛かることから、近年では、椅子に座る習慣を持つ者の方が畳に座る習慣を持つ者よりも多くなっている。このような生活習慣の変化を背景として、机に暖房器を組み込んだ考案が提案されていて、その一例として実開平７−２５８４１号公報に開示された考案がある。
【０００３】
この考案は、「冬場のイス掛け机使用時の足元の冷えを予防する」ことを目的としていて、「イス掛け用机の下に電熱器を設け、机の下の背面、左右側面を壁等で覆う」構成とすることにより、その目的を達成しようとしたものであるが、机使用時の足元の冷えを予防するとはいっても、壁等に覆われていない机の前面から隙間風が入り込んだり、電熱器で暖められた暖気が机の前面から逃げてしまい効率的に下半身全体を暖めることはできない。
【０００４】
このような不都合を解消するために、本出願人は、従来のコタツのメリットを活かし、かつ、椅子に座る習慣に配慮した、椅子に座った状態で使用することのできる暖房器付き机に関する２件の考案を出願した。この内の１件が登録実用新案第３１１７９５２号公報に開示の考案であり、他の１件が登録実用新案第３１２１５５７号公報に開示の考案である。
【０００５】
登録実用新案第３１１７９５２号公報に開示の考案は、「コタツを、一対の側面板および背面板から構成される壁面と天板および底板から形成される筐体の内部に暖房器を設置し、前記の天板上に回動自在に甲板を重置し、前記の天板と甲板に上掛けの一辺を挟着させ、天板から垂れ下がった裾を側面板に固定する構成とする一方、椅子を、座板の周縁部から下方向に垂設される連続壁状の脚部からなり、かつ、前記の脚部を平板状の台上に固着し、前記の台が平板状の下敷き上を一方向にのみ移動できるように構成」とすることにより、前述した目的を達成したものである。
【０００６】
ところで、登録実用新案第３１１７９５２号公報に開示の考案は、コタツの構成を、筐体の天板上に回動自在に甲板を重置し、前記の天板と甲板に上掛けの一辺を挟着させ、天板から垂れ下がった裾を側面板に固定することとしていて、背面部を除いて従来のコタツ同様に上掛けで覆うこととしているので、コタツの上で物書き等の仕事をする場合には、上掛けの上に敷板等の硬い板を載せる必要がある。また、天板の構成を「少なくとも１つの凹部が前記背面板に平行に形成され（前記天板上に重置され該天板と略同形の）甲板の該天板に相対する面には少なくとも１つの凸部が前記背面板に平行に形成されて、前記凹部と前記凸部とが互いに嵌合」することとしているので、上掛けを使用しない冬季以外の場合であっても、甲板上に敷板等の硬い板を載せる必要がある。
【０００７】
そのため、登録実用新案第３１２１５５７号公報に開示の考案では、下半身全体をわずかなエネルギーで暖めることができるという従来のコタツのメリットを活かすとともに、物書き等の仕事で使用する書斎机としても利用できる暖房器机を提供することを目的とし、「略矩形の天板と、前記天板の両側面部から垂設されて該天板を床面から支持する一対の側面断熱パネルと、前記天板の背面部にあって前記一対の側面断熱パネル間に架設される背面断熱パネルと、前記天板、前記一対の側面断熱パネルおよび前記背面断熱パネルに囲繞された天板下空間内に設置される暖房器と、からなり、前記天板を背面側と前面側に２分割し、背面側の天板を数種類の天板と交換可能な構成」とすることにより、この目的を達成したものである。
【特許文献１】実開平７−２５８４１号公報
【特許文献２】登録実用新案第３１１７９５２号公報
【考案の開示】
【考案が解決しようとする課題】
【０００８】
しかしながら、登録実用新案第３１２１５５７号公報に開示の考案では、天板の前面側下面および一対の側面断熱パネル前面側内面に固着された雌型面ファスナーに上掛けの辺縁に沿って縫着される雄型面ファスナーを係着させることにより、上掛けを暖房器付き机に係着させていて、上掛けは、暖房器付き机の前面部のみを覆うようになっている。すなわち、上掛けは、天板下空間内の暖気を逃さない役割を担っていて、上掛けの有する保温効果を有効に利用するものではない。
【０００９】
そこで、本考案は、下半身全体をわずかなエネルギーで暖めることができるという従来のコタツのメリットを活かすとともに、物書き等の仕事で使用する書斎机としても利用でき、かつ、上掛けの保温効果を有効に利用することにより、ランニングコストが低廉な暖房器付き机を提供することを目的とする。
【課題を解決するための手段】
【００１０】
上記課題を解決するために、請求項１に係る暖房器付き机は、略矩形の天板と該天板の四隅を床面から支持する脚部とを有し該天板下に一対の側面板、背面板および上面板に囲繞され前面が開放された天板下空間を具える書斎机において、前記一対の側面板の前記天板下空間側に該一対の側面板に対し所定の離間距離をもって並設される略矩形の一対の側面押え板、および／または前記上面板の前記天板下空間側に該上面板に対し所定の離間距離をもって並設される略矩形の上面押え板を具え、前記一対の側面板と前記一対の側面押え板とが形成する側面挟持部、および／または前記上面板と前記上面押え板とが形成する上面挟持部に、上掛けの一辺が挟持されて該上掛けが前記天板下空間の前面を緩やかに被包し、前記天板下空間内の前記一対の側面押え板および前記上面押え板よりも前記書斎机の背面側に暖房器が設置される、ことを特徴としている。
本願考案では、一対の側面押え板および上面押え板に関して、以下の３つのケースが含まれている。すなわち、
（１）一対の側面押え板のみを具えるケース、
（２）上面押え板のみを具えるケース、
（３）一対の側面押え板および上面押え板を具えるケース、である。
なお、天板下空間とは、書斎机の使用時に座者の膝が挿入される空間をいい、たとえば、両袖机や片袖机においては、袖部の内側の側面部に囲繞される空間をいう。また、天板下空間の前面とは、書斎机の使用時に座者に対面する書斎机の正面に対応する面をいう。
そして、側面挟持部とは、側面板と側面板に対して対面する側面押え板との重なり合う部分をいい、上面挟持部とは、上面板と上面板に対して対面する上面押え板との重なり合う部分をいう。さらに、書斎机の背面側とは、書斎机の正面に対する反対側をいい、上掛けとは、保温性能に優れたシート状のものをいう。
【００１１】
また、請求項２に係る暖房器付き机は、請求項１に記載の暖房器付き机であって、一対の前記側面押え板の前記書斎机の背面側端部は前記一対の側面板に回動可能および／または着脱可能に支持され、前記上面押え板の前記書斎机の背面側端部は前記上面板に回動可能および／または着脱可能に支持され、一対の前記側面押え板および前記上面押え板の背面側端部は前記書斎机の側面視において略同一垂直線上に位置している、ことを特徴としている。
本願考案では、一対の側面押え板および上面押え板の支持に関して、以下の４つのケースが含まれている。すなわち、
（１）一対の側面押え板の背面側端部が回動可能または着脱可能に支持されるケース、
（２）一対の側面押え板の背面側端部が回動可能かつ着脱可能に支持されるケース、
（３）上面押え板が回動可能または着脱可能に支持されるケース
（４）上面押え板が回動可能かつ着脱可能に支持されるケース、である。
なお、「一対の前記側面押え板および前記上面押え板の背面側端部は書斎机の側面視において略同一垂直線上に位置している」とは、書斎机の側面側から透視すると、一対の側面押え板および上面押え板の背面側端部が、同一の垂直線上の近辺に位置していることをいう。
【００１２】
そして、請求項３に係る暖房器付き机は、請求項1または請求項２のいずれかに記載の暖房器付き机であって、前記側面挟持部内および／または前記上面挟持部内には雌雄一対の係止具の一方が固着され、前記上掛けの一辺には該係止具の他方が固着されて、該係止具の一方と他方とが係止される、ことを特徴としている。
本願考案では、雌雄一対の係止具の一方が固着される箇所に関して、以下の３つのケースが含まれている。すなわち、
（１）側面挟持部内にのみ雌雄一対の係止具の一方が固着されるケース、
（２）上面挟持部内にのみ雌雄一対の係止具の一方が固着されるケース、
（３）側面挟持部内および上面挟持部内に雌雄一対の係止具の一方が固着されるケース、である。
なお、雌雄一対の係止具には、雌型、雄型が区別できないような係止具も含まれる。
【００１３】
さらに、請求項４に係る暖房器付き机は、請求項1ないし請求項３のいずれかに記載の暖房器付き机であって、前記天板下空間内には一対の前記側面板に密着する一対の添え柱および／または前記上面板に密着する梁が着脱可能に設置、または固定して設置され、前記添え柱に一対の前記側面押え板が支持され、前記梁に前記上面押え板が支持されている、ことを特徴としている。
本願考案では、雌雄一対の係止具の一方が固着される箇所に関して、以下の３つのケースが含まれている。すなわち、
（１）一対の添え柱のみが一対の側面板に対して着脱可能または固定して設置されるケース、
（２）梁のみが上面板に対して着脱可能または固定して設置されるケース、
（３）一対の添え柱および梁がそれぞれ一対の側面板および上面板に対して着脱可能または固定して設置されるケース、である。
【考案の効果】
【００１４】
請求項１に係る考案では、一対の側面板、背面板および上面板に囲繞され前面が開放された天板下空間内に、該一対の側面板に対し所定の離間距離をもって並設される略矩形の一対の側面押え板、および／または該上面板に対し所定の離間距離をもって並設される略矩形の上面押え板を具えていて、側面挟持部および／または上面挟持部に、上掛けの一辺が挟持されて該上掛けが前記天板下空間の前面を緩やかに被包する、こととしている。したがって、側面挟持部および／または上面挟持部に上掛けの一辺が挟持されるので、上面板と一対の側面板の天板下空間側の面が上掛けで覆われることになり、上掛けの保温効果を有効に利用することができ、暖房器が消費する電気代等のランニングコストを軽減することができる。さらに、暖房器の温度を４０℃ないし６０℃以下に設定しても、十分に下半身を暖めることができるので、いわゆる低温火傷を防ぐことができる。
また、一対の側面押え板および上面押え板よりも書斎机の背面側に暖房器が設置される、こととしている。したがって、一対の側面押え板および／または上面押え板に挟持される上掛けは、暖房器とは離れた位置にあるので、不用意に上掛けが暖房器に接触することはなく、防災上からも有効である。
【００１５】
また、請求項２に係る考案では、一対の側面押え板および／または上面押え板の背面側端部は一対の側面板あるいは上面押え板に対して、および／または着脱可能に支持されている。したがって、回動可能とした場合であっても、着脱可能とした場合であっても、一対の側面押え板と一対の側面板との間および／または上面押え板と上面板との間に上掛けを挟持させることを容易に行うことができる。そして、一対の側面押え板および／または上面押え板を着脱可能とした場合には、一対の側面押え板および／または上面押え板を取り外すことにより、暖房器付き机を通常の書斎机として使用することができる。
また、一対の側面押え板および上面押え板の背面側端部は、書斎机の側面視において略同一垂直線上に位置するようにしているので、上掛けの一辺を一対の側面押え板および上面押え板で同時に挟持させることができる。
【００１６】
そして、請求項３に係る考案では、側面挟持部内および／または上面挟持部内には雌雄一対の係止具の一方が固着され、上掛けの一辺には該係止具の他方が固着されて、該係止具の一方と他方とが係止されることとしているので、上掛けは強固に側面挟持部および／または上面挟持部に挟持され、上掛けを引張っても暖房器付き机から抜け出すことはない。
【００１７】
さらに、請求項４に係る考案では、天板下空間内には一対の側面板に密着する一対の添え柱および／または上面板に密着する梁が着脱可能に設置、または固定して設置され、該添え柱に一対の側面押え板が支持され、該梁に上面押え板が支持されている。このため、一対の添え柱および／または梁を着脱可能とした場合は、一対の側面押え板および／または上面押え板もまた、着脱可能とすることができる。そして、一対の側面押え板および／または上面押え板を一対の側面板および／または上面板に対して所定の離間距離を有して固定あるいは回動可能にすることは、一対の添え柱および／または梁を介することによりきわめて簡単に行うことができる。
【考案を実施するための最良の形態】
【００１８】
本考案を実施するための最良の形態に係る実施例について、図１ないし図６を基に説明する。ここで、図１は、実施例に係る暖房器付き机の全体図および使用状況図、図２は、実施例に係る暖房器付き机の上面板（天板）を外した構成斜視図、図３は、実施例に係る暖房器付き机の構成斜視図、図４は、図１のIV−IV矢視断面図、図５は、実施例に係る暖房器付き机の上面押え板および側面押え板を上面板（天板）および側面板に平行に設置したときの正面図である。なお、図２ないし図５においては、上掛けの図示を省略している。
【００１９】
符号１は実施例に係る暖房器付き机、符号１０は上面板、符号１２は上面押え板、符号１４は上面挟持部、符号１６は折畳み棚受け、符号１８は雌型係止具、符号３０は側面板、符号３２は側面押え板、符号３４は側面挟持部、符号３６は回動継手、符号３８は側面押え板止め具、符号５０は背面板、符号５２は天板下空間、符号６０は暖房器、符号６２は棚板、符号７２は添え柱、符号７４は梁、符号８０は上掛け、符号９０は椅子、符号９２は台、符号９４はガイドレール、符号９６は下敷き、である。
【００２０】
通常、書斎机は略矩形の天板と該天板の四隅を床面から支持する脚部とを有していて、書斎机の両袖部には引き出しが具えられている。そして、両袖部間の天板下にも引き出しを具えている場合がある。そのため、本来、実施例における天板下空間５２は、通常の書斎机にあっては、両袖部の内側の側面板３０、３０、背面板５０、および天板下に引き出しを具えている場合はその底板、天板下に引き出しを具えていない場合は天板自体である上面板１０と、から形成されるが、暖房器付き机１では、分かり易い図とするために、両袖部の引き出しおよび天板下の引き出しの図示を省略している。したがって、暖房器付き机１では、両袖部の内側の側面板３０、３０が書斎机の脚部を連結する側面の壁を兼ね、書斎机の天板を上面板１０が兼ねている状態となっている。
以下の説明では、側面板３０というときは、両袖部の内側の側面板を指し、上面板１０というときは、本来の上面板を指す場合と天板を指す場合とがある。
【００２１】
暖房器付き机１は、主に、矩形の上面板１０、矩形の一対の側面板３０、３０、矩形の背面板５０から構成されている。そして、前述したように、矩形の一対の側面板３０、３０および矩形の背面板５０によって形成されたコの字状の壁面上部に上面板１０が載置された状態となって、前面のみが開放された天板下空間５２が形成されている。
なお、天板下空間５２内の床面に底板を設置しても良いことは勿論である。
【００２２】
一対の添え柱７２、７２は、側面板３０の長さをＬとしたときに、天板下空間５２内の略Ｌ／２の位置に垂直方向に側面板３０に密着して着脱可能に添設されていて、梁７４は、添え柱７２と同様の位置、すなわち、暖房器付き机１の側面部から暖房器付き机１を透視したときには、同一垂直線上の位置に、かつ、天板下空間５２内の上面板１０に密着して添設されている。すなわち、一対の添え柱７２、７２と梁７４とにより、門型の枠が形成された状態となっていて、梁７４を一対の添え柱７２、７２の上部に架け渡して、梁７４と一対の添え柱７２、７２とを一体化しても良い。
【００２３】
そして、添え柱７２の前面側（前面側とは、暖房器付き机１の前側に向いた面をいう。以下同じ。）には、上下方向に回動継手３６、３６が固着され、梁７４の前面には、左右方向に折畳み棚受け１６、１６が固着されている。
この回動継手３６は、添え柱７２の前面方向に突設されていて、実施例では、平面視がＵ字で先端部分がやや狭まった形状の弾性材料で形成され、後述する側面押え板３２の外周枠を把持するようになっている。なお、回動継手３６には、枢着金物等を使用できることは勿論である。
また、折畳み棚受け１６は、梁７４の前面側に突設されていて、その基端部は梁７４に固着され、側面視においてその上辺は略水平となっている。この折畳み棚受け１６は不使用時には垂直方向に折畳めるようになっていて、後述する上掛け８０を雌型係止具１８に係止させる際に折畳み棚受け１６を折畳むことにより作業性が向上することとなるが、折畳み棚受け１６に代えて、折畳み式となっていない棚受けを使用することができることは勿論である。
【００２４】
上面押え板１２は、平板であって、使用時の状態に固定された折畳み棚受け１６、１６上に載置されて固定されるようになっている。そして、折畳み棚受け１６、１６上に載置された状態のときの上面押え板１２と上面板１０との空間が、上面挟持部１４として形成される。さらに、上面挟持部１４内の添え柱７２には、複数個の雌型係止具１８であるリング金具が固着されている。
【００２５】
側面押え板３２は、網目状の平板であって外周枠で囲繞されていて、前述したように、回動継手３６に外周枠の一辺が把持されて、着脱可能かつ回動自在となっている。そして、側面板３０に対して側面押え板３２を略平行に回動した位置で、側面板３０に固着された側面押え板止め具３８により固定できるようになっている。また、側面押え板３２が側面板３０に対して略平行に固定された状態のときの側面押え板３２と側面板３０との空間が、側面挟持部３４として形成される。そして、側面挟持部３４内の梁７４には、複数個の雌型係止具１８であるリング金具が固着されている。なお、実施例においては、側面押え板３２を網目状の平板としているが、網目状でなくとも良いことは勿論である。
【００２６】
暖房器６０は、一対の添え柱７２、７２の背面板５０側に設置された棚板６２の裏面に固着されていて、実施例では、テーブル式コタツ用のヒーターユニットが使用されている。勿論、暖房器６０を上面板１０に直接固着しても良いが、暖房器６０の近傍には暖気溜りが生じやすく、暖房器６０の上下方向の位置によっては、使用者の膝部分に低温火傷を引き起こす虞もあることから、実施例においては、暖房器６０の上下方向の位置を棚板６２で調整している。また、暖気溜り防止策として、たとえば、温度センサーと温度センサーに連動する換気ファンを設けて、所定の温度を超えたときに換気ファンを稼動させるようにしても良い。
なお、実施例においては暖房器６０にテーブル式コタツ用のヒーターユニットを使用しているが、これに限定されるものではなく、たとえば、前述した底板上に、ヒーターユニットやパネルヒータなどのような他の暖房器を設置しても良い。
【００２７】
上掛け８０は矩形の布団であって、上掛け８０の一辺には、雌型係止具１８に対応する位置に、雄型係止具（図示外）が固着されている。この上掛け８０には、他に保温性能に優れた毛布等のようなシート状のものを使用することができる。なお、雌雄一対の係止具としては、たとえば、スナップ、ホック、ボタンとボタンホール、または面ファスナーなどがあるが、実施例においては、雌型係止具１８をリング金物としていて、図示外の雄型係止具をホックとしている。
【００２８】
椅子９０は、本考案の構成要素ではないが、本考案と併用することにより、本考案の効果をより一層引き立たせることになるので、概説する。
実施例では、登録実用新案第３１１７９５２号に開示の実施例に係る椅子を使用している。すなわち、椅子９０の脚部は、座板の周縁部から下方向に垂設された連続する壁状となっていて、平板状の台９２上に固着されて、台９２の下面に固着される図示外のキャスターにより、平板状の下敷き９６上をガイドレール９４に導かれて、暖房器付き机１の方向に移動自在となるように構成されている。このように椅子９０の脚部を壁状とすることにより、天板下空間５２内の暖気が椅子９０の脚部から室内に流れ出すことがなく、本考案の保温効果はさらに高まることになる。
【００２９】
つぎに、暖房器付き机１の使用例について説明する。暖房器付き机１は、以下の手順により組立てることができる。すなわち、
（１）一対の側面板３０、３０および上面板１０のそれぞれに一対の添え柱７２、７２および梁７４を取付ける。
（２）添え柱７２に固着された回動継手３６に側面押え板３２の枠を押し当てて側面押え板３２を取付ける、
（３）側面押え板３２を側面板３０に対して略９０°回動させた後、雌型係止具１８に、上掛け８０の一辺に固着された雄型係止具を係止させる、
（４）側面押え板３２を側面板３０に平行になるように回動させて、側面押え板止め具３８により側面押え板３２を固定する、
（５）折畳み棚受け１６の先端部を基端部に対し略９０°回動して固定した後、上面押え板１２を折畳み棚受け１６と上掛け８０との間に挿入し、折畳み棚受け１６に上面押え板１２を固定する、
という手順を経て暖房器付き机１が組立てられる。
なお、上記（２）ないし（５）の手順は適宜入れ替えることができることは勿論であり、また、上記の手順を逆に行うことにより、暖房器付き机１から上掛け８０、側面押え板３２、上面押え板１２、梁７４および添え柱７２を取り外すことができる。
【００３０】
組立てられた暖房器付き机１を使用する場合は、暖房器６０のスイッチをＯＮにして、暖房を入れ、椅子７０に腰掛けて椅子７０を暖房器付き机１方向に所望の位置までスライドさせれば良い。
天板下空間５２は、暖房器６０により暖められるが、一度暖められた天板下空間５２内の空気は、上面板１０と一対の側面板３０、３０の天板下空間５２側の面が上掛け８０で覆われ、さらに、暖房器付き机１の前面が上掛け８０で被包されるので、使用者の下半身を密着して覆うことになり、上掛け８０の保温効果は十分に発揮され、天板下空間５２内の空気は冷めにくくなる。
【図面の簡単な説明】
【００３１】
【図１】図１は、実施例に係る暖房器付き机の全体図および使用状況図である。
【図２】図２は、実施例に係る暖房器付き机の上面板（天板）を外した構成斜視図である。
【図３】図３は、実施例に係る暖房器付き机の構成斜視図である。
【図４】図４は、図１のIV−IV矢視断面図である。
【図５】図５は、実施例に係る暖房器付き机の上面押え板および側面押え板を上面板（天板）および側面板に平行に設置したときの正面図である。
【符号の説明】
【００３２】
１  実施例に係る暖房器付き机
１０  上面板
１２  上面押え板
１４  上面挟持部
１８  雄型係止具
３０  側面板
３２  側面押え板
３４  側面挟持部
５０  背面板
５２  天板下空間
６０  暖房器
７２  添え柱
７４  梁
８０  上掛け
９０  椅子
【図１】
0003123783.tif 000003
【図２】
0003123783.tif 000004
【図３】
0003123783.tif 000005
【図４】
0003123783.tif 000006
【図５】
0003123783.tif 000007